(57)【要約】      （修正有）【課題】ディスク再初期化を速やかに行なわせる光記録情報保存媒体、記録／再生方法及び記録／再生装置を提供する。【解決手段】ユーザーデータを記録するためのユーザーデータ領域と、ユーザーデータ領域に発生した欠陥ブロックを代替するための代替ブロックのためのスペア領域とを含み、前記欠陥ブロック及び前記代替ブロックの状態情報を含んでいるＤＦＬエントリが管理され、媒体の再初期化のために前記スペア領域が新たに割り当てられる前に、前記ユーザーデータ領域にあった欠陥ブロックが前記再初期化以後にも前記ユーザーデータ領域にある場合、前記欠陥ブロックの状態情報が、前記欠陥ブロックは再初期化されたものであり、欠陥の可能性のあるブロックであることを表す状態情報に変更される。ディスク再初期化を迅速に行うことができ、ブロックの欠陥状態情報を管理することで、ドライブの不要な動作をなくして、システム性能の向上を図り得る。【選択図】図５
2011253612.tif 000002
【特許請求の範囲】
【請求項１】
ユーザーデータを記録するためのユーザーデータ領域と、前記ユーザーデータ領域に発生した欠陥ブロックを代替する代替ブロックを記憶するためのスペア領域と、欠陥エントリが記録される欠陥リストを記憶するための欠陥管理領域を含む情報記録媒体であって、前記欠陥エントリは前記代替ブロックに関する位置情報と前記代替ブロックに関する第１状態情報を含み、前記第１状態情報は前記代替ブロックが使用できないものであることを表す第１値を含む、前記情報記録媒体にデータを記録する方法において、
前記代替ブロックが再初期化によって前記スペア領域の範囲が変更された後前記ユーザーデータ領域に位置すれば、前記再初期化の間前記第１状態情報を有する前記欠陥エントリから転換された、第２状態情報を有する新たな欠陥エントリを記録する段階を含み、
前記第２状態情報は前記新たな欠陥エントリに対応する前記代替ブロックが欠陥可能性のあるブロックであることを表す第２値を含むことを特徴とする記録方法。
【請求項２】
前記欠陥ブロックの物理的アドレスは変更されないことを特徴とする請求項１に記載の記録方法。
【請求項３】
ユーザーデータを記録するためのユーザーデータ領域と、前記ユーザーデータ領域に発生した欠陥ブロックを代替する代替ブロックの記憶するためのスペア領域と、欠陥エントリが記録される欠陥リストを記録するための欠陥管理領域とを含む情報記録媒体であって、
前記欠陥エントリは前記代替ブロックに関する位置情報と前記代替ブロックに関する第１状態情報を含み、前記第１状態情報は前記代替ブロックが使用できないものであることを表す第１値を含む、前記情報記録媒体からデータを再生する方法において、
前記情報記録媒体から第２状態情報を有する新たな欠陥エントリを再生する段階であって、前記第２状態情報を有する新たな欠陥エントリは、前記代替ブロックが再初期化によって前記スペア領域の範囲が変更された後前記ユーザーデータ領域に位置すれば、前記再初期化の間前記第１状態情報を有する前記欠陥エントリから転換されたものである段階を含み、
前記第２状態情報は、前記新たな欠陥エントリに対応する前記代替ブロックが欠陥可能性のあるブロックであることを表す第２値を含むことを特徴とする再生方法。
【請求項４】
前記欠陥ブロックの物理的アドレスは変更されないことを特徴とする請求項３に記載の再生方法。
【請求項５】
記録装置及び/または再生装置によってアクセス可能な情報記録媒体であって、
ユーザーデータを記録するためのユーザーデータ領域と、前記ユーザーデータ領域に発生した欠陥ブロックを代替する代替ブロックを記憶するためのスペア領域を含むデータ領域と、
欠陥エントリが記録される欠陥リストを記憶するための欠陥管理領域であって、前記欠陥エントリは前記代替ブロックに関する位置情報と前記代替ブロックに関する第１状態情報を含み、前記第１状態情報は前記代替ブロックが使用できないものであることを表す第１値を含む、欠陥管理領域を含み、
前記代替ブロックが再初期化によって前記スペア領域の範囲が変更された後前記ユーザーデータ領域に位置すれば、前記第１状態情報を有する前記欠陥エントリは前記再初期化の間第２状態情報を有する新たな欠陥エントリに転換され、
前記第２状態情報は、前記新たな欠陥エントリに対応する前記代替ブロックが欠陥可能性のあるブロックであることを表す第２値を含むことを特徴とする情報記録媒体。
【請求項６】
前記欠陥ブロックの物理的アドレスは変更されないことを特徴とする請求項５に記載の再生方法。
【請求項７】
情報記録媒体にデータを記録する装置において、
ユーザーデータを記憶するためのユーザーデータ領域と、前記ユーザーデータ領域に発生した欠陥ブロックを代替する代替ブロックを記憶するためのスペア領域と、欠陥エントリが記録される欠陥リストを記憶するための欠陥管理領域を含む情報記録媒体であって、前記欠陥エントリは前記代替ブロックに関する位置情報と前記代替ブロックに関する第１状態情報を含み、前記第１状態情報は前記代替ブロックが使用できないものであることを表す第１値を含む、前記情報記録媒体と関連してデータを伝送するために光を照射するピックアップと、
前記代替ブロックが再初期化によって前記スペア領域の範囲が変更された後前記ユーザーデータ領域に位置すれば、前記再初期化の間前記第１状態情報を有する前記欠陥エントリから転換された、第２状態情報を有する新たな欠陥エントリを記録するように前記ピックアップを制御するコントローラを含み、
前記第２状態情報は前記新たな欠陥エントリに対応する前記代替ブロックが欠陥可能性のあるブロックであることを表す第２値を含むことを特徴とする記録装置。
【請求項８】
前記欠陥ブロックの物理的アドレスは変更されないことを特徴とする請求項７に記載の記録装置。
【請求項９】
情報記録媒体からデータを再生する装置において、
ユーザーデータを記憶するためのユーザーデータ領域と、前記ユーザーデータ領域に発生した欠陥ブロックを代替する代替ブロックを記憶するためのスペア領域と、欠陥エントリが記録される欠陥リストを記憶するための欠陥管理領域を含む情報記録媒体であって、前記欠陥エントリは前記代替ブロックに関する位置情報と前記代替ブロックに関する第１状態情報を含み、前記第１状態情報は前記代替ブロックが使用できないものであることを表す第１値を含む、前記情報記録媒体と関連してデータを伝送するように光を照射し受信するピックアップと、
前記情報記録媒体から第２状態情報を有する新たな欠陥エントリを再生するように前記ピックアップを制御するコントローラを含み、
前記第２状態情報を有する新たな欠陥エントリは、前記代替ブロックが再初期化によって前記スペア領域の範囲が変更された後前記ユーザーデータ領域に位置すれば、前記再初期化の間前記第１状態情報を有する前記欠陥エントリから転換されたエントリであり、
前記第２状態情報は前記新たな欠陥エントリに対応する前記代替ブロックが欠陥可能性のあるブロックであることを表す第２値を含むことを特徴とする再生装置。
【請求項１０】
前記欠陥ブロックの物理的アドレスは変更されないことを特徴とする請求項９に記載の再生装置。
【発明の詳細な説明】
【技術分野】
【０００１】
本発明は、ディスク分野に係り、更に具体的には、ディスクの再初期化のための光記録情報保存媒体、記録／再生方法及び記録／再生装置に関する。
【背景技術】
【０００２】
再記録可能情報保存媒体の使用中にスクラッチや指紋及びホコリ等によって媒体上の欠陥は増加する。媒体の使用中に発生した欠陥ブロックについては、欠陥情報と登録されて管理され、ホストまたはドライブシステムは、そのような欠陥ブロックに可能なデータを割り当てず、良好なブロックにデータを記録する。そのように、ディスクの継続的な使用によって、そのような欠陥ブロックは増加する。それにより、ユーザーはディスクの再初期化を望む。
【０００３】
そのような場合、ユーザーがディスク表面上に生じる指紋やホコリなどを除去した時に欠陥情報上に登録されている欠陥ブロックは、記録後に検定を通じて良好なブロックと判定されることもある。そのように、再記録情報保存媒体の再初期化が必要な場合にドライブシステムは、ディスク全体の記録可能な領域のブロックまたは欠陥情報上に登録されている欠陥ブロックを、記録後に検定を通じて欠陥如何を判断する。
【０００４】
そのように、再記録情報保存媒体の再初期化時に、ディスクの全体または欠陥情報上に登録されている欠陥ブロックを、記録後検定を通じて欠陥如何を判断すれば、再初期化にかかる時間が非常に長いため、ユーザーに不便さを感じさせることがある。
【発明の概要】
【発明が解決しようとする課題】
【０００５】
本発明は、前記のような問題点を解決して、ディスク再初期化を速かに行わせる光記録情報保存媒体、記録／再生方法及び記録／再生装置を提供することを目的とする。
【課題を解決するための手段】
【０００６】
前記のような課題を解決するための本発明の一つの特徴は、光記録情報保存媒体において、前記媒体は、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理され、媒体の再初期化のために、前記スペア領域が新たに割り当てられる前に前記ユーザーデータ領域にあった欠陥ブロックが、前記再初期化以後にも前記ユーザーデータ領域にある場合、前記欠陥ブロックの状態情報が、前記欠陥ブロックは再初期化されたものであり、欠陥の可能性のあるブロックであることを表す状態情報に変更されるものである。
【０００７】
前記スペア領域の割り当て以前にユーザーデータ領域にあった欠陥ブロックは、代替ブロックを有する欠陥ブロック、代替ブロックを有していない欠陥ブロック、及び欠陥の可能性のあるブロックを含むことが好ましい。
【０００８】
本発明の他の特徴は、光記録情報保存媒体において、前記媒体は、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理され、媒体の再初期化のために、前記スペア領域が新たに割り当てられる前に前記ユーザーデータ領域にあった欠陥ブロックが、前記再初期化以後に前記新たに割り当てられたスペア領域の代替ブロックに含まれる場合、前記代替ブロックの状態情報が、前記代替ブロックは再初期化されたものであり、代替のために使用され得ないブロックであることを表す状態情報に変更されるものである。
【０００９】
前記スペア領域の割り当て以前にユーザーデータ領域にあった欠陥ブロックは、代替ブロックを有する欠陥ブロック、代替ブロックを有していない欠陥ブロック、及び欠陥の可能性のあるブロックを含むことが好ましい。
【００１０】
本発明の更に他の特徴は、光記録情報保存媒体において、前記媒体は、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理され、媒体の再初期化のために、前記スペア領域が新たに割り当てられる前に前記スペア領域にあった代替のために使用できない代替ブロックが、前記再初期化以後にユーザーデータ領域の欠陥ブロックに含まれる場合、前記欠陥ブロックの状態情報が、前記欠陥ブロックは再初期化されたものであり、欠陥の可能性のあるブロックであることを表す状態情報に変更されるものである。
【００１１】
本発明の更に他の特徴は、光記録情報保存媒体において、前記媒体は、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理され、媒体の再初期化のために前記スペア領域が新たに割り当てられた場合、前記ユーザーデータ領域にあった欠陥ブロック及び前記スペア領域にあった代替ブロックの状態情報が変更されるものである。
【００１２】
前記欠陥リストエントリは、欠陥ブロックの物理アドレス情報、前記欠陥ブロックを代替するための代替ブロックの物理アドレス情報、前記欠陥ブロックの欠陥状態または前記代替ブロックの使用可能如何を表す第１状態情報、前記媒体の再初期化如何を表す第２状態情報を含むことが好ましい。
【００１３】
前記スペア領域が新たに割り当てられる前に前記ユーザーデータ領域にあった欠陥ブロックが、前記再初期化以後にも前記ユーザーデータ領域にある場合、前記欠陥ブロックの欠陥リストエントリが、前記欠陥ブロックは欠陥の可能性のあるブロックであることを表す第１状態情報、及び前記欠陥ブロックは再初期化されたことを表す第２状態情報を含む欠陥リストエントリに変更されることが好ましい。
【００１４】
前記スペア領域が新たに割り当てられる前に前記ユーザーデータ領域にあった欠陥ブロックが、前記再初期化以後に前記新たに割り当てられたスペア領域の代替ブロックに含まれた場合、前記代替ブロックの欠陥リストエントリが、前記代替ブロックは代替のために使用され得ないブロックであることを表す第１状態情報、及び前記代替ブロックは再初期化されたことを表す第２状態情報を含む欠陥リストエントリに変更されることが好ましい。
【００１５】
前記スペア領域が新たに割り当てられる前に前記スペア領域にあった代替のために使用できない代替ブロックが、前記再初期化以後にユーザーデータ領域の欠陥ブロックされた場合、前記欠陥ブロックの欠陥リストエントリが、前記欠陥ブロックは欠陥の可能性のあるブロックであることを表す第１状態情報、及び前記欠陥ブロックは再初期化されたことを表す第２状態情報を含む欠陥リストエントリに変更されることが好ましい。
【００１６】
前記新たなスペア領域の割り当て以前に、欠陥の可能性のあるブロックが連続的に配列された連続ブロックであって、その連続ブロックの長さを知らない連続欠陥リストエントリが存在する場合、その連続ブロックの開始ブロックから所定個数のブロックを“記録後検定”によって検定した結果に基づいて、新たなスペア領域の割り当て以後にユーザーデータ領域に属する連続ブロックについては、その検定結果による第１状態情報、及び再初期化されたことを表す第２状態情報を含む欠陥リストエントリが登録され、新たに割り当てられたスペア領域に属する連続ブロックについては、その検定結果により代替のために使用され得るブロックまたは代替のために使用され得ないブロックであることを表す第１状態情報、及び再初期化されたことを表す第２状態情報を含む欠陥リストエントリが登録されることが好ましい。
【００１７】
前記新たなスペア領域の割り当て以前に、欠陥の可能性のあるブロックが連続的に配列された連続ブロックであって、その連続ブロックの長さを知らない連続欠陥リストエントリが存在する場合、その連続ブロックの開始ブロックが新たなスペア領域の割り当て以後にユーザーデータ領域に属する場合には、前記連続欠陥リストエントリがそのまま維持され、その連続ブロックの開始ブロックが新たに割り当てられたスペア領域に属する場合には、前記開始ブロックから所定個数のブロックを“記録後検定”によって検定した結果に基づいて、代替のために使用され得るブロックまたは代替のために使用され得ないブロックであることを表す第１状態情報、及び再初期化されたことを表す第２状態情報を含む欠陥リストエントリが登録されることが好ましい。
【００１８】
本発明の更に他の特徴は、記録／再生方法において、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理される光記録媒体の再初期化のために、前記スペア領域を新たに割り当てるステップと、前記スペア領域の割り当てにより前記ユーザーデータ領域にあった欠陥ブロックが、前記再初期化以後にも前記ユーザーデータ領域にある場合、前記欠陥ブロックの状態情報を、前記欠陥ブロックは再初期化されたものであり、欠陥の可能性のあるブロックであることを表す状態情報に変更して記録するステップを含むことである。
【００１９】
本発明の更に他の特徴は、記録／再生方法において、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理される光記録媒体の再初期化のために前記スペア領域を新たに割り当てるステップと、前記スペア領域の新たな割り当てにより前記ユーザーデータ領域にあった欠陥ブロックが、前記再初期化以後に前記新たに割り当てられたスペア領域の代替ブロックに含まれる場合、前記代替ブロックの状態情報を、前記代替ブロックは再初期化されたものであり、代替のために使用され得ないブロックであることを表す状態情報に変更するステップを含むことが好ましい。
【００２０】
本発明の更に他の特徴は、記録／再生方法において、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理される光記録媒体の再初期化のために前記スペア領域を新たに割り当てるステップと、前記スペア領域が新たに割り当てられる前に前記スペア領域にあった代替のために使用できない代替ブロックが、前記再初期化以後にユーザーデータ領域の欠陥ブロックに含まれる場合、前記欠陥ブロックの状態情報を、前記欠陥ブロックは再初期化されたものであり、欠陥の可能性のあるブロックであることを表す状態情報に変更するステップを含むことである。
【００２１】
本発明の更に他の特徴は、記録／再生方法において、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理される光記録媒体の再初期化のために前記スペア領域を新たに割り当てるステップと、前記ユーザーデータ領域にあった欠陥ブロック及び前記スペア領域にあった代替ブロックの状態情報を変更するステップを含むことである。
【００２２】
本発明の更に他の特徴は、記録／再生装置において、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理される光記録媒体に／からデータを書込み／読み取りする書込み／読み取り部と、前記媒体の再初期化のために前記スペア領域を新たに割り当て、前記スペア領域の割り当てにより前記ユーザーデータ領域にあった欠陥ブロックが、前記再初期化以後にも前記ユーザーデータ領域にある場合、前記欠陥ブロックの状態情報を、前記欠陥ブロックは再初期化されたものであり、欠陥の可能性のあるブロックであることを表す状態情報に変更して記録するように前記書込み／読み取り部を制御する制御部と、を含むことである。
【００２３】
本発明の更に他の特徴は、記録／再生装置において、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理される光記録媒体に／からデータを書込み／読み取りする書込み／読み取り部と、前記媒体の再初期化のために前記スペア領域を新たに割り当て、前記スペア領域の新たな割り当てにより前記ユーザーデータ領域にあった欠陥ブロックが、前記再初期化以後に前記新たに割り当てられたスペア領域の代替ブロックに含まれる場合、前記代替ブロックの状態情報を、前記代替ブロックは再初期化されたものであり、代替のために使用され得ないブロックであることを表す状態情報に変更して記録するように前記書込み／読み取り部を制御する制御部と、を含むことである。
【００２４】
本発明の更に他の特徴は、記録／再生装置において、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理される光記録媒体に／からデータを書込み／読み取りする書込み／読み取り部と、前記媒体の再初期化のために前記スペア領域を新たに割り当て、前記スペア領域が新たに割り当てられる前に前記スペア領域にあった代替のために使用できない代替ブロックが、前記再初期化以後にユーザーデータ領域の欠陥ブロックに含まれる場合、前記欠陥ブロックの状態情報を、前記欠陥ブロックは再初期化されたものであり、欠陥の可能性のあるブロックであることを表す状態情報に変更して記録するように前記書込み／読み取り部を制御する制御部と、を含むことである。
【００２５】
本発明の更に他の特徴は、記録／再生装置において、リ―ドイン領域とデータ領域とリ―ドアウト領域とが設けられ、前記データ領域は、ユーザーデータを記録するためのユーザーデータ領域と、前記ユーザーデータ領域に発生した欠陥ブロックを代替するための代替ブロックのためのスペア領域とを含み、前記欠陥ブロック及び前記代替ブロックの状態情報を含んでいる欠陥リストエントリが管理される光記録媒体に／からデータを書込み／読み取りする書込み／読み取り部と、前記媒体の再初期化のために前記スペア領域を新たに割り当て、前記ユーザーデータ領域にあった欠陥ブロック及び前記スペア領域にあった代替ブロックの状態情報を変更して記録するように前記書込み／読み取り部を制御する制御部と、を含むことである。
【００２６】
本発明によれば、ディスク再初期化時、記録後に検定過程なしに欠陥情報のみを管理することにより、ディスクを再初期化することで再初期化過程を速かに行うことができる。すなわち、再初期化時に欠陥リストエントリの状態情報２に再初期化されたことを表す情報を表示することで速い再初期化を達成することができ、再初期化以後のデータ記録時に、もし記録しようとするブロックについての欠陥リストエントリの状態情報２が“１”と設定されていれば、ドライブシステムはそれを知って、ホストがそのブロックの一部にデータを記録せよと命令しても、別途のＲｅａｄ−Ｍｏｄｉｆｙ−Ｗｒｉｔｅなしに直ちにブロックの残りの部分に所定のデータをパッディングして記録を行い得る。また、再生命令が下された時に、そのブロックに記録されたデータは意味ないデータであるため、直ちにヌルデータをホストに伝送するか、またはチェックメッセージを送ることができる。そのように、本発明によれば、再初期化にかかる時間を短縮し、かつ再記録媒体における不要なＲＭＷ過程を防止できる。
【図面の簡単な説明】
【００２７】
【図１】本発明に係る記録／再生装置の構成の概略的なブロック図である。
【図２】本発明に係る単一記録層ディスクの構造図である。
【図３】本発明に係る二重記録層ディスクの構造図である。
【図４】本発明に係るＤＦＬのデータ構造図である。
【図５】図４に示されたＤＦＬエントリのデータ構造図である。
【図６】図５に示されたＤＦＬエントリの状態情報を説明するための参考図である。
【図７】本発明に係るディスク再初期化によって新たに割り当てられたスペア領域内にあるブロックのＤＦＬエントリ処理方法を説明するための参考図である。
【図８】（Ａ）は図７（Ａ）に示された状況において、本発明によって新たなスペア領域の割り当て直前のＤＦＬの状態情報を示す図、（Ｂ）は図７（Ｂ）に示された状況において、新たなスペア領域の割り当て直後のＤＦＬの状態情報を示す図である。
【図９】本発明に係るディスク再初期化によって新たに割り当てられたスペア領域内にあるブロックのＤＦＬエントリ処理方法を説明するための参考図である。
【図１０】（Ａ）は図９（Ａ）に示された状況において、本発明によって新たなスペア領域の割り当て直前のＤＦＬの状態情報を示す図、（Ｂ）は図９（Ｂ）に示された状況において、新たなスペア領域の割り当て直後のＤＦＬの状態情報を示す図である。
【図１１Ａ】本発明によって状態情報１が欠陥の可能性のある状態を表す“３”である場合の三つの状態のＤＦＬエントリを示す図である。
【図１１Ｂ】本発明によって状態情報１が欠陥の可能性のある状態を表す“３”である場合の三つの状態のＤＦＬエントリを示す図である。
【図１１Ｃ】本発明によって状態情報１が欠陥の可能性のある状態を表す“３”である場合の三つの状態のＤＦＬエントリを示す図である。
【図１２】本発明に係る、長さが知られた連続欠陥ブロックが新たなスペア領域の割り当てによって、一部はスペア領域に存在し、一部はユーザーデータ領域に存在する状態を説明するための参考図である。
【図１３】図１２に示された状況において、ＤＦＬエントリの変更を説明するための参考図である。
【図１４】本発明に係る、長さが知られていない連続欠陥ブロックが新たなスペア領域の割り当てによって、連続欠陥ブロックの開始アドレスがユーザーデータ領域に存在するか、またはスペア領域に存在する状態を説明するための参考図である。
【図１５Ａ】図１４に示された状況において、ＤＦＬエントリの変更を説明するための参考図である。
【図１５Ｂ】図１４に示された状況において、ＤＦＬエントリの変更を説明するための参考図である。
【図１５Ｃ】図１４に示された状況において、ＤＦＬエントリの変更を説明するための参考図である。
【図１６Ａ】本発明に係る再初期化方法の過程を示すフローチャートである。
【図１６Ｂ】本発明に係る再初期化方法の過程を示すフローチャートである。
【発明を実施するための形態】
【００２８】
以下、添付した図面を参照して本発明を詳細に説明する。
【実施例】
【００２９】
図１は、本発明に係る記録／再生装置の構成の概略的のブロック図である。前記記録／再生装置は、書込み／読み取り部２と制御部１とを含む。
【００３０】
書込み／読み取り部２は、ピックアップなどを備えて本発明に係る光記録情報保存媒体のディスク４にデータを記録し、記録されたデータを読み取る。
【００３１】
制御部１は、所定のファイルシステムによってディスク４にデータを記録して読み取るように制御する。特に、本発明に係る前記制御部１は、ディスクの再初期化のためにスペア領域を新たに割り当て、スペア領域の新たな割り当て結果によって、ユーザーデータ領域にある欠陥ブロックとスペア領域にある代替ブロックとの状態情報を管理する。
【００３２】
制御部１は、システム制御器１０と、Ｉ／Ｆ  ２０と、ＤＳＰ  ３０と、ＲＦ  ＡＭＰ  ４０と、サーボ５０とを備える。
【００３３】
記録時に、ホストＩ／Ｆ  ２０は、ホスト３から所定の記録命令を受信して、それをシステム制御器１０に伝送する。システム制御器１０は、そのようなホストＩ／Ｆ  ２０から受信された記録命令を行うためにＤＳＰ  ３０とサーボ５０とを制御する。ＤＳＰ  ３０は、ホストＩ／Ｆ  ２０から受けた記録するデータを、エラー訂正のためにパリティ等の付加データを添加し、ＥＣＣエンコーディングを行って、エラー訂正ブロックであるＥＣＣブロックを生成した後に、それをあらかじめ定められた方式で変調する。ＲＦ  ＡＭＰ  ４０は、ＤＳＰ  ３０から出力されたデータをＲＦ信号に変える。ピックアップを備える書込み／読み取り部２は、ＲＦ  ＡＭＰ  ４０から伝送されたＲＦ信号をディスク４に記録する。サーボ５０は、システム制御器１０からサーボ制御に必要な命令を入力されて、書込み／読み取り部２のピックアップをサーボ制御する。
【００３４】
特に、本発明に係るシステム制御器１０は、ディスクの再初期化のためにスペア領域を新たに割り当てる場合、ブロックの欠陥状態を管理する。
【００３５】
システム制御器１０は、ディスクの再初期化以前のユーザーデータ領域にあった欠陥ブロックの物理アドレスが、ディスク再初期化による新たなスペア領域の割り当て以後にも相変らずユーザーデータ領域に含まれると判断された場合に、この欠陥ブロックの欠陥リストエントリを、この欠陥ブロックは再初期化されたものであり、欠陥の可能性のあるブロックであることを表す状態情報を有する欠陥リストエントリに変えて記録するように制御する。
【００３６】
また、システム制御器１０は、ディスクの再初期化以前のユーザーデータ領域にあった欠陥ブロックの物理アドレスが、ディスク再初期化による新たなスペア領域の割り当て以後に新たなスペア領域の代替ブロックの物理アドレスに含まれると判断された場合に、この代替ブロックの欠陥リストエントリを、この代替ブロックは再初期化され、代替のために使用できない代替ブロックであることを表す状態情報を有する欠陥リストエントリに変えて記録するように制御する。
【００３７】
また、システム制御器１０は、ディスクの再初期化以前のスペア領域にあった代替のために使用できない代替ブロックの物理アドレスが、再初期化による新たなスペア領域の割り当て以後にユーザーデータ領域の物理アドレスに含まれると判断された場合に、この欠陥ブロックの欠陥リストエントリを、この欠陥ブロックは再初期化されたものであり、欠陥の可能性のある、まだ検定されていないブロックであることを表す状態情報を有する欠陥リストエントリに変えて記録するように制御する。欠陥リストエントリと状態情報とについては詳細に後述する。
【００３８】
再生時に、ホストＩ／Ｆ  ２０は、ホスト３から再生命令を受ける。システム制御器１０は、再生に必要な初期化を行う。書込み／読み取り部２は、ディスク４にレーザービームを照射してディスク４から反射されたレーザービームを受光して、得られた光信号を出力する。ＲＦ  ＡＭＰ  ４０は、書込み／読み取り部２から出力された光信号をＲＦ信号に変えて、ＲＦ信号から得られた変調されたデータをＤＳＰ  ３０に提供する一方、ＲＦ信号から得られた制御のためのサーボ信号をサーボ５０に提供する。ＤＳＰ  ３０は、変調されたデータを復調して、ＥＣＣエラー訂正を経て得られたデータを出力する。一方、サーボ５０は、ＲＦ  ＡＭＰ  ４０から受けたサーボ信号とシステム制御器１０から受けたサーボ制御に必要な命令とを受けて、ピックアップについてのサーボ制御を行う。ホストＩ／Ｆ  ２０は、ＤＳＰ  ３０から受けたデータをホストに送る。
【００３９】
以下では、本発明に係る光記録情報保存媒体の構造を説明する。
【００４０】
図２は、本発明に係る単一記録層ディスクの構造の一例を示す。ディスクは、ディスクの半径方向に内周にはリ―ドイン領域があり、外周にはリ―ドアウト領域があり、中央にデータ領域が設けられる。
【００４１】
リ―ドイン領域は、ＤＭＡ＃２、記録条件テスト領域、及びＤＭＡ＃１を含み、データ領域は、スペア領域＃１、ユーザーデータ領域、及びスペア領域＃２を含み、リ―ドアウト領域は、ＤＭＡ＃３及びＤＭＡ＃４を含む。
【００４２】
欠陥管理領域（Ｄｅｆｅｃｔ  Ｍａｎａｇｅｍｅｎｔ  Ａｒｅａ：以下、ＤＭＡ）は、再記録型情報保存媒体において、その欠陥管理情報を記録するための領域であり、ディスクの内側領域または外側領域に備えられている。
【００４３】
そして、ディスクのユーザーデータ領域の所定部分に、欠陥発生時にその欠陥が発生した欠陥ブロックを代替するための代替ブロックを記録するためのスペア領域は、データ領域に初期化時にドライブ製造者やユーザーの選択によってそのサイズ及び割り当て有無が決定され、また、ディスク使用中にディスクを再初期化する必要がある場合に、そのようなスペア領域は新たに割り当てられる。
【００４４】
前記ＤＭＡに記録される欠陥管理情報は、欠陥情報のための欠陥リスト（Ｄｅｆｅｃｔ  Ｌｉｓｔ：以下、ＤＦＬ）とディスクのデータ領域の構造に関する情報を含むディスク定義構造（Ｄｉｓｃ  Ｄｅｆｉｎｉｔｉｏｎ  Ｓｔｒｕｃｔｕｒｅ：ＤＤＳ）より構成されている。
【００４５】
前記ＤＦＬは、ＤＦＬヘッダーとＤＦＬエントリとより構成されており、そのフォーマットについては図４を参照して詳細に後述する。
【００４６】
記録条件テスト領域は、記録方法による多様な記録パワーでテストして、最適の記録パワーとその記録方法による他の変数とを探すテストのために設けられた領域である。
【００４７】
図３は、本発明に係る二重記録層ディスクの構造の一例を示す。一つの記録層Ｌ０に、リ―ドイン領域＃０、データ領域、及びリ―ドアウト領域＃０が設けられ、他の記録層Ｌ１に、リ―ドイン領域＃１、データ領域、及びリ―ドアウト領域＃１が設けられる。
【００４８】
Ｌ０層のリ―ドイン領域＃０は、ＤＭＡ＃２、記録条件テスト領域、及びＤＭＡ＃１を含み、データ領域は、スペア領域＃１、ユーザーデータ領域、及びスペア領域＃２を含み、リ―ドアウト領域は、ＤＭＡ＃３及びＤＭＡ＃４を含む。
【００４９】
Ｌ１層のリ―ドイン領域＃１は、ＤＭＡ＃２、記録条件テスト領域、及びＤＭＡ＃１を含み、データ領域は、スペア領域＃４、ユーザーデータ領域及びスペア領域＃３を含み、リ―ドアウト領域＃１は、ＤＭＡ＃３及びＤＭＡ＃４を含む。
【００５０】
図４は、本発明に係るＤＦＬのデータフォーマットを示す。図４を参照するに、本発明に係るＤＦＬ ４００は、ＤＦＬヘッダー４１０とＤＦＬエントリリスト４２０とを含む。
【００５１】
ＤＦＬヘッダー４１０は、ブロックの欠陥管理のための個数情報を記録する部分であり、ＤＦＬ識別子４１１と、代替ブロックを有する欠陥ブロックの数４１２と、代替ブロックのない欠陥ブロックの数４１３と、使用できるスペアブロックの数４１４と、使用できないスペアブロックの数４１５と、欠陥可能性のあるブロックの数４１６とについての情報を含む。
【００５２】
代替ブロックを有する欠陥ブロックの数４１２は、欠陥ブロックがスペア領域の代替ブロックに代替されたことを表す欠陥状態情報を有するＤＦＬエントリの数を意味する。
【００５３】
代替ブロックのない欠陥ブロックの数４１３は、欠陥ブロックではあるが、スペア領域に代替ブロックが存在しない欠陥ブロックのそれ自体を表す欠陥状態情報を有するＤＦＬエントリの数を意味する。
【００５４】
使用できるスペアブロックの数４１４は、スペア領域内の代替されていないブロックのうち、代替のために使用できるブロックを表す欠陥状態情報を有するＤＦＬエントリの数を意味する。
【００５５】
使用できないスペアブロックの数４１５は、スペア領域内の代替されていないブロックのうち、代替のために使用できないブロックを表す欠陥状態情報を有するＤＦＬエントリの数を意味する。
【００５６】
欠陥の可能性のあるブロックの数４１６は、ユーザーデータ領域内にあるブロックのうち、欠陥が疑わしいが、まだ検証されていないブロックを表す欠陥状態情報を有するＤＦＬエントリの数を意味する。
【００５７】
ＤＦＬエントリリスト４２０は、ブロックについての欠陥状態情報を有するＤＦＬエントリの集合であり、ＤＦＬエントリ＃１  ４２１と、ＤＦＬエントリ＃２  ４２２と、・・・ＤＦＬエントリ＃Ｎ  ４２３とを含む。
【００５８】
図５は、図４に示されたＤＦＬエントリのデータフォーマットを示す。ＤＦＬエントリ＃ｉ  ５００は、状態情報１  ５１０と、欠陥ブロックの物理アドレス５２０と、状態情報２  ５３０と、代替ブロックの物理アドレス５４０とを含む。
【００５９】
状態情報１  ５１０は、ユーザーデータ領域にある欠陥ブロックの欠陥状態に関する情報、及びスペア領域にある代替ブロックの使用可能如何状態に関する情報を言う。状態情報１については図６を参照して詳細に説明する。
【００６０】
状態情報２  ５３０は、スペア領域にある代替ブロック等の使用可否を表す状態に関する情報をいう。そのように、再初期化時に記録後検定動作を行わずに、ＤＦＬエントリの状態情報２に再初期化されたことを表す情報のみを表示することで速い再初期化を達成できる。また、再初期化以後のデータ記録時に、もし記録しようとするブロックについてのＤＦＬエントリの状態情報２が再初期化されたことを表す状態情報に設定されていれば、ドライブシステムはそれを知って、ホストがそのブロックの一部にデータを記録せよと命令しても、別途のＲｅａｄ−Ｍｏｄｉｆｙ−Ｗｒｉｔｅなしに直ちにブロックの残りの部分に所定データをパッディングして記録を行いうる。また、ホストから再生命令が下された時にドライブシステムは、そのように、状態情報２が再初期化されたことを表す状態情報と表示されていれば、そのブロックに記録されたデータは意味のないデータであることを知っているため、直ちにヌルデータをホストに伝送するか、またはチェックメッセージを送ることができる。
【００６１】
欠陥ブロックの物理アドレス５２０は、ユーザーデータ領域内にある欠陥ブロックが位置した物理的のアドレスを言い、代替ブロックの物理アドレス５４０は、スペア領域内にある代替ブロックが位置した物理的なアドレスを言う。
【００６２】
図６は、図５に示されたＤＦＬエントリの状態情報１を説明するための参考図である。状態情報５１０は、“１”、“２”、“３”、“４”、“５”の５つの状態を有する。
【００６３】
状態情報“１”は、代替ブロックのある欠陥ブロックの状態を表す。その場合に、欠陥ブロックの物理アドレスは、ユーザーデータ領域内にある欠陥ブロックの物理アドレスを言い、代替ブロックの物理アドレスは、前記欠陥ブロックを代替する代替ブロックがスペア領域に記録された物理アドレスを言う。
【００６４】
状態情報“２”は、代替ブロックのない欠陥ブロックの状態を表す。この場合に、欠陥ブロックの物理アドレスはユーザーデータ領域内にある欠陥ブロックの物理アドレスを表す。
【００６５】
状態情報“３”は、欠陥の可能性のある欠陥ブロックの状態を表す。欠陥の可能性のあるブロックは、ディスクを検定またはスキャニングする過程で、過剰なＲＦやサーボ信号が検出された時に、記録後のエラー訂正によりまだ検定されてはいないが、欠陥の可能性のある以後の記録後のエラー訂正によって、検定が必要なブロックを表す。その場合に、欠陥ブロックの物理アドレスは、検定されていないが、欠陥の可能性のある欠陥ブロックの物理アドレスを表す。
【００６６】
状態情報“４”は、スペア領域にある代替ブロックの状態であり、使用できる代替ブロックであることを表す状態を表す。その場合に、代替ブロックの物理アドレスは、スペア領域の代替されていないブロックのうち、使用できるブロックの物理アドレスを表す。
【００６７】
状態情報“５”は、スペア領域にある代替ブロックの状態であり、使用できない代替ブロックであることを表す状態を表す。その場合に、代替ブロックの物理アドレスは、スペア領域の代替されていないブロックのうち、使用できないブロックの物理アドレスを表す。
【００６８】
状態情報“１”、“２”、“３”は、ユーザーデータ領域にあるブロックの状態を表し、状態情報“４”、“５”は、スペア領域にあるブロックの状態を表す。
【００６９】
状態情報２ ５３０については図示されていないが、例えば、状態情報２ ５３０が“１”と設定されていれば、これは再初期化されたことを表し、状態情報２
５３０が“０”と設定されていれば、このブロックが再初期化されていないか、または再初期化以後に再び使用されたことを表示できる。状態情報２が“０”と設定されたのは、このブロックに有効なデータが入っていることを表し、状態情報２が“１”と設定されたのは、このブロックが再初期化されているため、このブロック中に有効なデータが入っていないことを表す。
【００７０】
図７（Ａ）及び図７（Ｂ）は、本発明により、ディスク再初期化によって新たに割り当てられたスペア領域内にあるブロックのＤＦＬエントリ処理方法を説明するための参考図である。
【００７１】
図７（Ａ）は、ディスクの再初期化以前にスペア領域＃１を割り当てて使用する単一記録層ディスクでデータブロックの状態を表し、図７（Ｂ）は、ディスクの再初期化以後にスペア領域＃１が新たに割り当てられたディスクでデータブロックの状態を表す。
【００７２】
図７（Ａ）を参照するに、データ領域はスペア領域＃１のみが割り当てられて、スペア領域＃１とユーザーデータ領域とを含む。ユーザーデータ領域の終わりの部分にブロック（１）、（２）、（３）が記録されている。ブロック（１）は欠陥ブロックであり、この欠陥ブロックは、この欠陥ブロックを代替するための代替ブロックであるブロックを表す。ブロック（２）は、この欠陥ブロックを代替するための代替ブロックを有していない欠陥ブロックを表す。ブロック（３）は、欠陥の可能性のあるブロックを表す。
【００７３】
そのような状態で、ディスク使用中に、ディスクの再初期化によって新たなスペア領域＃１が割り当てられた場合、再初期化以後に相変らずユーザーデータ領域に存在する欠陥ブロックが、再初期化以後にもユーザーデータ領域にも含まれる状態が（ｂ）に示されたような状態である。
【００７４】
図７（Ｂ）を参照するに、代替ブロックを有する欠陥ブロック（１）、代替ブロックを有していない欠陥ブロック（２）及び欠陥の可能性のあるブロック（３）についてのＤＦＬエントリは、このブロックが再初期化されたという状態情報と共に、欠陥の可能性のある状態情報を有するＤＦＬエントリに切り替えられる。
【００７５】
図８（Ａ）は、図７（Ａ）に示された状況で、本発明によって新たなスペア領域の割り当て直前のＤＦＬの状態情報を、図８（Ｂ）は、図７（Ｂ）に示された状況で、新たなスペア領域の割り当て直後のＤＦＬの状態情報を表す。
【００７６】
図８（Ａ）を参照するに、ブロック（１）についてのＤＦＬエントリは、図８（Ａ）に示された第１エントリである。ブロック（１）は、代替ブロックを有する欠陥ブロックであるため、状態情報１が“１”と設定されており、この欠陥ブロックの物理アドレスが“００１００００ｈ”と記録されており、まだ再初期化されていない状態であるため、状態情報２は“０”と設定されている。ブロック（２）は、代替ブロックを有していない欠陥ブロックであるため、状態情報１が“２”と設定されており、この欠陥ブロックの物理アドレスが“００１０１００ｈ”と記録されており、まだ再初期化されていない状態であるため、状態情報２は“０”と設定されている。ブロック（３）は、欠陥の可能性のあるブロックであるため、状態情報１が“３”と設定されており、この欠陥ブロックの物理アドレスが“００１０１１０ｈ”と記録されており、まだ再初期化されていない状態であるため、状態情報２は“０”と設定されている。
【００７７】
図８（Ａ）に示されたＤＦＬエントリリストは、スペア領域を新たに割り当てる再初期化により、図８（Ｂ）に示されたようなＤＦＬエントリリスト状態となる。
【００７８】
図８（Ｂ）を参照するに、ブロック（１）についてのＤＦＬエントリは、図８（Ｂ）に示された第１エントリであり、ブロック（２）についてのＤＦＬエントリは第２エントリであり、ブロック（３）についてのＤＦＬエントリは第３エントリである。ブロック（１）、（２）、（３）についてのＤＦＬエントリは、何れも状態情報１が、再初期化によって欠陥の可能性のあるブロックであることを表す“３”と設定され、再初期化如何を表す状態情報２が再初期化されたことを表す“１”と設定される。
【００７９】
そのように、ディスクの再初期化以後にユーザーデータ領域にある欠陥ブロックは欠陥の可能性のあるブロックであるため、以後にそのブロックにデータを記録しようとする場合、記録後の検定過程を経てそのブロックの欠陥可能性を検定することが好ましい。
【００８０】
再初期化により、ＤＦＬエントリの状態情報２に再初期化されたことを表す“１”と設定した後、このブロックが再使用されれば、状態情報２は“０”に変えねばならない。再初期化による状態情報２を“１”と表す理由は、このブロックに記録されているデータは、再初期化によってそれ以上の意味がないデータであるということを表すためである。
【００８１】
図９は、本発明により、ディスク再初期化によって新たに割り当てられたスペア領域内にあるブロックのＤＦＬエントリ処理方法を説明するための参考図である。
【００８２】
図９（Ａ）は、ディスクの再初期化以前に、スペア領域＃１を割り当てて使用する単一記録層ディスクでデータブロックの状態を表し、図９（Ｂ）は、ディスクの再初期化以後にスペア領域＃２が新たに割り当てられたディスクでデータブロックの状態を表す。
【００８３】
図９（Ａ）を参照するに、データ領域にはスペア領域＃１のみが割り当てられて、データ領域は、スペア領域＃１とユーザーデータ領域とを含む。ユーザーデータ領域の終わり部分にブロック（４）、（５）、（６）が記録されており、スペア領域＃１にブロック（７）が記録されている。ブロック（４）は欠陥ブロックであり、この欠陥ブロックは、この欠陥ブロックを代替するための代替ブロックを有しているブロックを表す。ブロック（５）は、この欠陥ブロックを代替するための代替ブロックを有していない欠陥ブロックを表す。ブロック（６）は、欠陥の可能性のあるブロックを表す。ブロック（７）は、スペア領域にある代替ブロックであり、代替のために使用できない代替ブロックであることを表す。
【００８４】
そのような状態で、ディスク使用中にディスクの再初期化により、スペア領域＃１は更に縮少割り当てられて、再初期化以前にスペア領域＃１にあったブロック（７）は、再初期化以後にユーザーデータ領域に含まれ、スペア領域＃２は新たに割り当てられて、再初期化以前にユーザーデータ領域にあったブロック（４）、（５）、（６）は、何れもスペア領域＃２に含まれる状態が図９（Ｂ）に示された通りである。
【００８５】
図９（Ｂ）を参照するに、再初期化以前にユーザーデータ領域にあった欠陥ブロック（４）、（５）、（６）が、再初期化によりスペア領域に含まれれば、このブロックについてのＤＦＬエントリは、何れもこのブロックが再初期化されたという状態情報と共に、代替のために使用できないブロックであることを表す状態情報を有するＤＦＬエントリに切り替えられる。そして、再初期化以前にスペア領域にあった代替ブロック（７）が、再初期化によってユーザーデータ領域に含まれれば、このブロックについてのＤＦＬエントリは、再初期化されたという状態情報と共に、欠陥の可能性のあるブロックであることを表す状態情報を有するＤＦＬエントリに切り替えられる。
【００８６】
図１０（Ａ）は、図９（Ａ）に示された状況で、本発明によって新たなスペア領域の割り当て直前のＤＦＬの状態情報を、図１０（Ｂ）は、図９（Ｂ）に示された状況で、新たなスペア領域の割り当て直後のＤＦＬの状態情報を表す。
【００８７】
図１０（Ａ）を参照するに、ブロック（４）についてのＤＦＬエントリは、図９（Ａ）に示された第１エントリである。ブロック（４）は、代替ブロックを有する欠陥ブロックであるため、状態情報１が“１”と設定されており、この欠陥ブロックの物理アドレスが“００１００００ｈ”と記録されており、まだ再初期化されていない状態であるため、状態情報２は“０”と設定されている。ブロック（５）は、代替ブロックを有していない欠陥ブロックであるため、状態情報１が“２”と設定されており、この欠陥ブロックの物理アドレスが“００１０１００ｈ”と記録されており、まだ再初期化されていない状態であるため、状態情報２は“０”と設定されている。ブロック（６）は、欠陥の可能性のあるブロックであるため、状態情報１が“３”と設定されており、この欠陥ブロックの物理アドレスが“００１０１１０ｈ”と記録されており、まだ再初期化されていない状態であるため、状態情報２は“０”と設定されている。ブロック（７）は、代替を使用できない代替ブロックであるため、状態情報１が“５”と設定されており、この代替ブロックの物理アドレスが“０１０００００ｈ”と記録されており、まだ再初期化されていない状態であるため、状態情報２は“０”と設定されている。
【００８８】
図１０（Ａ）に示されたＤＦＬエントリリストは、スペア領域を新たに割り当てる再初期化により、図１０（Ｂ）に示されたようなＤＦＬエントリリスト状態となる。
【００８９】
図１０（Ｂ）を参照するに、ブロック（４）についてのＤＦＬエントリは、図１０（Ｂ）に示された第２エントリであり、ブロック（５）についてのＤＦＬエントリは、図１０（Ｂ）の第２エントリであり、ブロック（６）についてのＤＦＬエントリは、図１０Ｂの第４エントリであり、ブロック（７）についてのＤＦＬエントリは、図１０（Ｂ）の第１エントリである。ブロック（４）、（５）、（６）についてのＤＦＬエントリは、再初期化によって何れも状態情報１が代替のために使用され得ないブロックであることを表す状態情報の“５”と設定され、再初期化如何を表す状態情報２が再初期化されたことを表す“１”と設定され、欠陥ブロックの物理アドレスは代替ブロックの物理アドレス位置に変更される。ブロックについてのＤＦＬエントリは、再初期化によって状態情報１が欠陥の可能性のあるブロックであることを表す“３”と設定され、再初期化如何を表す状態情報２が再初期化されたことを表す“１”と設定され、代替ブロックの物理アドレスが欠陥ブロックの物理アドレス位置に変更される。
【００９０】
以上では、単一記録層ディスクを対象として説明したが、二重記録層ディスクについても同じ方法が適用される。
【００９１】
以下では、図１１Ａないし図１１Ｃないし図１５Ａないし図１５Ｃを参照して、欠陥ブロックが連続的に表される連続欠陥ブロックの処理について説明する。
【００９２】
図１１Ａないし図１１Ｃは、本発明により、状態情報１が欠陥の可能性のある状態を表す“３”である場合の３つの状態のＤＦＬエントリを図示する。
【００９３】
図１１Ａは、欠陥の可能性のある単一ブロックＤＦＬエントリを表す。ＤＦＬエントリの状態情報１は、欠陥の可能性のあるブロックであることを表す“３”と設定されており、欠陥ブロックの物理アドレスは、この欠陥の可能性のあるブロックの物理アドレスを表し、状態情報２は、まだ再初期化される以前の状態を表す“０”と設定されており、代替ブロックの物理アドレスは、このブロックが単一ブロックであることを表す“１”が記録されている。
【００９４】
図１１Ｂは、欠陥の可能性のある長さを知る連続ブロックＤＦＬエントリを表す。ＤＦＬエントリの状態情報１は、欠陥の可能性のあるブロックであることを表す“３”と設定されており、欠陥ブロックの物理アドレスは、この連続欠陥ブロックの開始物理アドレスを表し、状態情報２は、まだ再初期化される以前の状態を表す“０”と設定されており、代替ブロックの物理アドレスには、この連続欠陥ブロックの長さを表す“５”が記録されている。
【００９５】
図１１Ｃは、欠陥の可能性のある長さを知らない連続ブロックＤＦＬエントリを表す。ＤＦＬエントリの状態情報１は、欠陥の可能性のあるブロックであることを表す“３”と設定されており、欠陥ブロックの物理アドレスは、この欠陥の可能性のあるブロックの物理アドレスを表し、状態情報２は、まだ再初期化される以前の状態を表す“０”と設定されており、代替ブロックの物理アドレスは、この連続欠陥ブロックの長さを知らないため、これを表すために所定の約束された値“ＦＦｈ”が記録されている。
【００９６】
図１２は、本発明により、長さが知られた連続欠陥ブロックが新たなスペア領域の割り当てにより、一部はスペア領域に存在し、一部はユーザーデータ領域に存在する状態を説明するための参考図である。
【００９７】
図１２（Ａ）を参照するに、ユーザーデータ領域に、欠陥の可能性のあるブロック＃１ないし＃５が連続的に配列されている。そのような欠陥可能性ブロック＃１ないし＃５が連続欠陥ブロックをなす。この連続欠陥ブロックの開始アドレスは、“０００１０００ｈ”と表示されている。
【００９８】
そのような状態で、再初期化等によってスペア領域が新たに割り当てられて、連続欠陥ブロックの一部は新たに割り当てられたスペア領域に含まれ、一部はユーザーデータ領域に含まれる形態が図１２（Ｂ）に示されている。
【００９９】
図１２（Ｂ）を参照するに、新たなスペア領域の割り当てにより、連続欠陥ブロックのうち、二つのブロック、ブロック＃１とブロック＃２とはスペア領域に含まれ、３つのブロック、ブロック＃３ないし＃５はユーザーデータ領域に含まれる。後述するが、ユーザーデータ領域に属する連続欠陥ブロックは、相変らず欠陥の可能性のある連続欠陥ブロックであり、スペア領域に属するブロックは、使用できない代替ブロックとなる。
【０１００】
図１３は、図１２に示された状況でＤＦＬエントリの変更を説明するための参考図である。
【０１０１】
図１３（Ａ）は、図１２（Ａ）に示された状態、すなわち、再初期化の直前にユーザーデータ領域にある連続欠陥ブロックのＤＦＬエントリの状態を表す。ＤＦＬエントリの状態情報１は、欠陥の可能性のあるブロックであることを表す“３”と設定されており、欠陥ブロックの物理アドレスは、この連続欠陥ブロックの開始物理アドレスである“０００１０００ｈ”が記録されており、状態情報２は、まだ再初期化される以前の状態を表す“０”と設定されており、代替ブロックの物理アドレスには、この連続欠陥ブロックの長さを表す“５”が記録されている。
【０１０２】
図１３（Ｂ）は、図１２（Ｂ）に示された状態、すなわち、再初期化以後のＤＦＬエントリの状態を表す。新たなスペア領域の割り当て以後にもユーザーデータ領域に属する欠陥可能性ブロック＃３ないし＃５は、図１３（Ｂ）で第１ＤＦＬエントリと表される。すなわち、第１ＤＦＬエントリの状態情報１は、欠陥の可能性のあるブロックであることを表す“３”と設定されており、欠陥ブロックの物理アドレスは、この連続欠陥ブロックの開始物理アドレスである“０００１０１０ｈ”が記録されており、状態情報２は、再初期化されたことを表す“１”と設定されており、代替ブロックの物理アドレスには、この連続欠陥ブロックの長さを表す“３”が記録されている。
【０１０３】
新たなスペア領域の割り当て以後に、スペア領域に属するブロック＃１及び＃２は、図１３（Ｂ）で第２及び第３ＤＦＬエントリと表される。すなわち、第２ＤＦＬエントリの状態情報１は、使用できないブロックであることを表す“５”と設定されており、状態情報２は、再初期化されたことを表す“１”と設定されており、代替ブロックの物理アドレスには“０００１０００ｈ”が記録されている。第３ＤＦＬエントリの状態情報１は、使用できないブロックであることを表す“５”と設定されており、状態情報２は、再初期化されたことを表す“１”と設定されており、代替ブロックの物理アドレスには“０００１００１ｈ”が記録されている。ユーザーデータ領域にある連続欠陥ブロックは、一つのＤＦＬエントリと表しうるが、スペア領域にある代替ブロックは、それが連続的であっても、各代替ブロックごとに各ＤＦＬエントリが生成される。
【０１０４】
図１４は、本発明により、長さが知られていない連続欠陥ブロックが、新たなスペア領域の割り当てによって連続欠陥ブロックの開始アドレスがユーザーデータ領域に存在するか、またはスペア領域に存在する状態を説明するための参考図である。
【０１０５】
再初期化によって長さが知られていない連続欠陥ブロックを処理する方法はニつがある。
【０１０６】
第一は、その連続欠陥ブロックの開始ブロックから一定のブロックを“記録後検定”によって検定した後、検定されたそれぞれのブロックをスペア領域の新たな割り当て以後に、該当ブロックが存在する位置、すなわちユーザーデータ領域であるか、またはスペア領域であるかによってＤＦＬエントリを生成することである。すなわち、まず“記録後検定”によって検定して、新たにスペア領域が割り当てられた以後にもユーザーデータ領域にある連続ブロックのうち、検定結果、欠陥があると判断されれば、それによるＤＦＬエントリを登録し、検定結果、欠陥がないと判断されれば、このブロックについてはＤＦＬエントリを登録する必要がない。そして、新たに割り当てられたスペア領域にある連続ブロックのうち、検定結果、欠陥があると判断されれば、使用できない代替ブロックであることを表す状態情報を有するＤＦＬエントリを登録し、検定結果、欠陥がないと判断されれば、使用できる代替ブロックであることを表す状態情報を有するＤＦＬエントリを登録する。
【０１０７】
第二は、新たなスペア領域の割り当て以後に、その連続欠陥ブロックの開始アドレスがどこに属するかによってＤＦＬエントリを生成する方法である。すなわち、新たなスペア領域の割り当て以後に、その連続欠陥ブロックの開始アドレスがスペア領域に属する場合には、その開始ブロックから一定のブロックを記録後検定によって検定した後、その検定結果によってＤＦＬエントリを生成する。そして、新たなスペア領域の割り当て以後に、その連続欠陥ブロックの開始アドレスがユーザーデータ領域に属する場合には、元来のＤＦＬエントリをそのまま維持する。その時、状態情報２に再初期化されたという状態情報を表示しない。すなわち、再初期化されたという状態情報は、以後ホストによってそのようなブロックにデータを記録する時に不要なＲｅａｄ−Ｍｏｄｉｆｙ−Ｗｒｉｔｅ過程をなくすためである。ところが、欠陥の可能性のある連続ブロックの長さを知らなければ、再初期化されたという状態情報を表示しても、その欠陥の可能性のある連続ブロックが、何なる物理アドレスから何なる物理アドレスまで再初期化されたかが不明であるためである。そのような第２の方法について、図１４及び図１５Ａないし図１５Ｃを参照して説明する。
【０１０８】
図１４（Ａ）を参照するに、連続欠陥ブロックであるが、その長さを知らない連続欠陥ブロックがユーザーデータ領域に配列されている。その連続欠陥ブロックの長さは知らないが、その開始アドレスが“００００１００ｈ”であることは表示されている。
【０１０９】
図１４（Ｂ）を参照するに、図１４（Ａ）のような状況で、新たなスペア領域が割り当てられた以後の状態を表す。スペア領域を新たに割り当てた以後にスペア領域のサイズは更に小さくなり、新たな割り当て以前にユーザーデータ領域にあった長さを知らない連続欠陥ブロックの開始アドレスが相変らずユーザーデータ領域に含まれる状態である。そのような状態では、長さを知らない連続欠陥ブロックの開始アドレスが相変らずユーザーデータ領域にあるため、この連続欠陥ブロックはユーザーデータ領域にあると仮定して、それによりＤＦＬエントリを処理する。
【０１１０】
図１４（Ｃ）を参照するに、図１４（Ａ）のような状況で、新たなスペア領域が割り当てられた以後の状態を表す。スペア領域を新たに割り当てた以後にスペア領域のサイズが大きくなり、新たな割り当て以前にユーザーデータ領域にあった長さを知らない連続欠陥ブロックの開始アドレスがスペア領域に含まれる状態である。そのような状態では、長さを知らない連続欠陥ブロックの開始アドレスがスペア領域にあるため、この連続欠陥ブロックはスペア領域にあると仮定し、その開始アドレスから所定のブロックを“記録後検定”動作を通じて検定を行って、それによりＤＦＬエントリを処理する。
【０１１１】
図１５Ａ乃至図１５Ｃは、図１４に示された状況で、ＤＦＬエントリの変更を説明するための参考図である。
【０１１２】
図１５Ａは、図１４（Ａ）に示された状況、すなわち、再初期化の直前のＤＦＬエントリの状態を表す。ＤＦＬエントリの状態情報１は、欠陥の可能性のあるブロックを表す“３”と設定されており、欠陥ブロックの物理アドレスは、この欠陥の可能性のあるブロックの物理アドレスを表し、状態情報２は、まだ再初期化される以前の状態を表す“０”と設定されており、代替ブロックの物理アドレスは、この連続欠陥ブロックの長さを知らないため、それを表すために所定の約束された値“ＦＦｈ”が記録されている。
【０１１３】
図１５Ｂは、図１４（Ｂ）に示された状況、すなわち、再初期化以後に長さを知らない連続欠陥ブロックの開始アドレスがユーザーデータ領域に存在する場合のＤＦＬエントリを表す。図１５Ａに示されたＤＦＬエントリ状態と同じく維持し、再初期化状態を表す状態情報２も、前記したように“０”を維持する。
【０１１４】
図１５Ｃは、図１４（Ｃ）に示された状況、すなわち、再初期化以後に長さを知らない連続欠陥ブロックの開始アドレスがスペア領域に存在する場合のＤＦＬエントリを表す。再初期化以後に長さを知らない連続欠陥ブロックの開始アドレスがスペア領域に存在する場合には、この開始アドレスから所定ブロックほど記録後検定を行って、その検定結果によってＤＦＬエントリを生成する。例えば、検定結果、この連続欠陥ブロックに二つの欠陥ブロックが入っており、第１ブロックは、検定によって使用できるブロックであり、第２ブロックは、検定によって使用できないブロックと決定された場合に、図１５Ｃに示されたように、二つのＤＦＬエントリが生成される。
【０１１５】
図１６Ａ及び図１６Ｂは、本発明に係る再初期化方法の過程を示すフローチャートである。
【０１１６】
図１６Ａを参照するに、まず、ドライブシステムに使用されてきたディスクがローディングされた後、ドライブシステムのシステム制御器はディスク再初期化の命令を受信する（１６０１）。
【０１１７】
そのようなディスク再初期化の命令を受信した場合に、システム制御器は、まず、ユーザーデータ領域に新たなスペア領域を割り当てる（１６０２）。
【０１１８】
次いで、システム制御器は、そのようなスペア領域の割り当てによってＤＦＬエントリを変更させるが、まず、変更させるブロックが単一欠陥ブロックであるか、または連続欠陥ブロックであるかを判断して（１６０３）、単一欠陥ブロックに関するものであれば１６０４に進行し、連続欠陥ブロックに関するものであれば“ａ”に進行する。
【０１１９】
１６０４で、システム制御器は、ユーザーデータ領域に含まれていた欠陥ブロックが、新たなスペア領域の割り当て以後にもユーザーデータ領域に含まれているかを判断する。
【０１２０】
判断結果、相変らずユーザーデータ領域に含まれている場合には、このブロックのＤＦＬエントリを、このブロックが再初期化されたという状態情報と共に、欠陥の可能性のある、まだ検定されていないブロックであることを表すＤＦＬエントリに変える（１６０５）。
【０１２１】
次いで、ユーザーデータ領域に含まれていた欠陥ブロックが、新たなスペア領域の割り当て以後にスペア領域に含まれているかを判断する（１６０６）。
【０１２２】
判断結果、ユーザーデータ領域にあった欠陥ブロックが、新たなスペア領域が割り当て以後にスペア領域に含まれる場合には、このブロックのＤＦＬエントリを再初期化されたという状態情報と共に、代替のために使用できないブロックであることを表すＤＦＬエントリに変える（１６０７）。
【０１２３】
次いで、スペア領域の代替のために使用できない代替ブロックが、新たなスペア領域の割り当て以後にユーザーデータ領域に含まれる場合には（１６０８）、システム制御器は、このブロックのＤＦＬエントリを再初期化されたという状態情報と共に、欠陥の可能性のある、まだ検定されていないブロックであることを表すＤＦＬエントリに変える（１６０９）。
【０１２４】
次いで、連続欠陥ブロックである場合に“ａ”に進行し、欠陥の可能性のある連続欠陥ブロックの長さを知ることができるかを判断する（１６１０）。
【０１２５】
長さが知られた欠陥の可能性のある連続ブロックである場合に、スペア領域の割り当て以後にもユーザーデータ領域にある連続ブロックについては、この連続ブロックの再初期化されたという状態情報２を“１”と設定して、連続ブロックＤＦＬエントリに変える（１６１１）。そして、新たに割り当てられたスペア領域に含まれた連続ブロックについては、使用できない代替ブロックであることを表すＤＦＬエントリに変える（１６１２）。欠陥の可能性のある連続ブロックが、スペア領域の新たな割り当てによって一部はユーザーデータ領域に属し、一部はスペア領域に属する場合にも、ユーザーデータ領域に属する一部のブロックについては１６１１によって処理し、スペア領域に属する一部のブロックについては１６１２によって処理すればよい。
【０１２６】
欠陥の可能性のある連続ブロックの長さを知らない場合には、ドライブ製作者などの意図によって２つの方法のうち、何れか一つを使用できる（１６１３）。
【０１２７】
方法１の場合には、無条件連続ブロックに属する開始ブロックから所定ブロックを“記録後検定”によって検定し、その検定結果によってＤＦＬエントリに変える（１６１４）。すなわち、新たなスペア領域の割り当て以後にユーザーデータ領域に属する連続ブロックについては、その検定結果によって欠陥であるか、または欠陥の可能性のあるブロックであることを表す第１状態情報と、再初期化されたという第２状態情報とを含むＤＦＬエントリを登録し、新たに割り当てられたスペア領域に属する連続ブロックについては、その検定結果によって使用できるか、または使用できない代替ブロックであることを表す第１状態情報と、再初期化されたという第２状態情報とを含むＤＦＬエントリを登録する。
【０１２８】
方法２の場合には、連続ブロックの開始ブロックが、スペア領域の割り当て以後にユーザーデータ領域に属すれば、残りのブロックもユーザーデータ領域に属すると仮定して連続ブロックＤＦＬエントリに変え、連続ブロックの開始ブロックが新たに割り当てられたスペア領域に属すれば、残りのブロックもスペア領域に属すると仮定し、記録後検定によって検定された結果により使用できるか、または使用できない代替ブロックであることを表すＤＦＬエントリに変える（１６１５）。
【０１２９】
以上、説明したような記録／再生方法は、また、コンピュータ可読記録媒体にコンピュータ可読コードとして具現することが可能である。コンピュータ可読記録媒体は、コンピュータシステムによって読み取られ得るデータが保存されるあらゆる種類の記録媒体を含む。コンピュータ可読記録媒体の例としては、ＲＯＭ、ＲＡＭ、ＣＤ−ＲＯＭ、磁気テープ、フロッピー（登録商標）ディスク、光データ保存装置などがあり、また、キャリアウェーブ（例えば、インターネットによる伝送）の形態に具現されることも含む。なお、コンピュータ可読記録媒体は、ネットワークで連結されたコンピュータシステムに分散されて、分散方式でコンピュータ可読コードが保存されて実行されうる。そして、前記記録／再生方法を具現するための機能的なプログラム、コード及びコードセグメントは、本発明が属する技術分野のプログラマーによって容易に推論されうる。
【０１３０】
これまで、本発明についてその好ましい実施形態を中心に説明した。当業者は、本発明が、本発明の本質的な特性から逸脱しない範囲で変形された形態に具現されうることを理解できる。したがって、開示された実施形態は、限定的な観点ではなく、説明的な観点で考慮されねばならない。本発明の範囲は、前記した説明でなく、特許請求の範囲に示されており、それと同等な範囲内にあるあらゆる相違点は、本発明に含まれたと解釈されねばならない。
【０１３１】
本発明は、光記録媒体、光記録媒体に／からデータを記録／再生する記録／再生装置に利用可能である。
【符号の説明】
【０１３２】
５００  ＤＦＬエントリ＃ｉ
５１０  状態情報１
５２０  欠陥ブロックの物理アドレス
５３０  状態情報２
５４０  代替ブロックの物理アドレス
【図１】
2011253612.tif 000003
【図２】
2011253612.tif 000004
【図３】
2011253612.tif 000005
【図４】
2011253612.tif 000006
【図５】
2011253612.tif 000007
【図６】
2011253612.tif 000008
【図７】
2011253612.tif 000009
【図８】
2011253612.tif 000010
【図９】
2011253612.tif 000011
【図１０】
2011253612.tif 000012
【図１１Ａ】
2011253612.tif 000013
【図１１Ｂ】
2011253612.tif 000014
【図１１Ｃ】
2011253612.tif 000015
【図１２】
2011253612.tif 000016
【図１３】
2011253612.tif 000017
【図１４】
2011253612.tif 000018
【図１５Ａ】
2011253612.tif 000019
【図１５Ｂ】
2011253612.tif 000020
【図１５Ｃ】
2011253612.tif 000021
【図１６Ａ】
2011253612.tif 000022
【図１６Ｂ】
2011253612.tif 000023